(57)【特許請求の範囲】
【請求項１】
ＯＬＥＤ表示装置の輝度補償方法であって、
画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含むＯＬＥＤ表示装置の輝度保証システムを提供する工程１と、
前記画像予備処理ユニットが画像コントラスト制御ユニットに未表示画像の各画素の表示データを提供する工程２と、
前記老化パラメータ検出ユニットがＯＬＥＤ表示パネルの老化パラメータを検出し、かつ画像コントラスト制御ユニット及び老化補償ユニットに提供する工程３と、
前記画像コントラスト制御ユニットが、ＯＬＥＤ表示パネルの老化パラメータに基づいて、未表示画像の各画素の表示データを調整して未表示画像における各画素の輝度値を調整し、かつ輝度値が調整された後の各画素の表示データを老化補償ユニットに提供する工程４と、
前記老化補償ユニットが、前記ＯＬＥＤ表示パネルの老化パラメータに基づいて輝度値調整後の各画素の表示データを調整して老化補償を行い、かつ老化補償後の各画素の表示データをＯＬＥＤ表示パネルに提供して表示する工程５と、を含み、
前記工程３で検出したＯＬＥＤ表示パネルの老化パラメータはその時点の各画素中の画素駆動回路における駆動薄膜トランジスタの閾値電圧の平均値であり、前記工程２で提供する各画素の表示データは各画素の輝度値であり、
前記工程４において、画像コントラスト制御ユニットが、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、前記老化パラメータ及び予め設定された輝度向上公式に基づいて該画素の輝度値を引き上げ、該画素の輝度値が該輝度閾値より小さいか、または等しい場合は、前記老化パラメータ及び予め設定された輝度低下公式に基づいて該画素の輝度値を引き下げ、
前記予め設定された輝度閾値計算公式は、
【数２６】
0006843488.tif 000022
であり、
そのうち、Ｍは輝度閾値、ＡｖｅＹは未表示画面の幾何平均輝度、ｎはＯＬＥＤ表示パネル中の画素の総数、Ｙｉはｉ番目の画素の輝度値である、
ＯＬＥＤ表示装置の輝度補償方法。
【請求項２】
請求項１に記載のＯＬＥＤ表示装置の輝度補償方法において、前記予め設定された輝度向上公式は、
【数２７】
0006843488.tif 000023
であり、
前記予め設定された輝度低下公式は、
【数２８】
0006843488.tif 000024
であり、
そのうち、
【数２９】
0006843488.tif 000025
、
【数３０】
0006843488.tif 000026
、  であり、Ｙ'ｉは輝度値調整後のｉ番目の画素の輝度値であり、ＶｍａｘはＯＬＥＤ表示パネル中の画素が取得可能な最大電圧値であり、Ｖｔｈｉｎｉは予め設定されたＯＬＥＤ表示パネル中の駆動薄膜トランジスタの閾値電圧の参考値であり、Ｖｔｈは老化パラメータ検出ユニットが検出した老化パラメータである、
ＯＬＥＤ表示装置の輝度補償方法。
【請求項３】
画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含むＯＬＥＤ表示装置の輝度補償システムであって、
前記ＯＬＥＤ表示パネルには複数の画素が設けられており、
前記画像予備処理ユニットは、画像コントラスト制御ユニットに未表示画像の各画素の表示データを提供するために用いられ、
前記老化パラメータ検出ユニットは、前記ＯＬＥＤ表示パネルの老化パラメータを検出し、かつ画像コントラスト制御ユニット及び老化補償ユニットに提供するために用いられ、
前記画像コントラスト制御ユニットは、ＯＬＥＤ表示パネルの老化パラメータに基づいて、未表示画像の各画素の表示データを調整して未表示画像における各画素の輝度値を調整し、かつ輝度値が調整された後の各画素の表示データを老化補償ユニットに提供するために用いられ、
前記老化補償ユニットは、前記ＯＬＥＤ表示パネルの老化パラメータに基づいて輝度値調整後の各画素の表示データを調整して老化補償を行い、かつ老化補償後の各画素の表示データをＯＬＥＤ表示パネルに提供して表示するために用いられ、
そのうち、前記老化パラメータは、その時点の各画素中の画素駆動回路における駆動薄膜トランジスタの閾値電圧の平均値であり、前記各画素の表示データは各画素の輝度値であり、
そのうち、前記画像コントラスト制御ユニットが、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、前記老化パラメータ及び予め設定された輝度向上公式に基づいて該画素の輝度値を引き上げ、該画素の輝度値が該輝度閾値より小さいか、または等しい場合は、前記老化パラメータ及び予め設定された輝度低下公式に基づいて該画素の輝度値を引き下げ、
前記予め設定された輝度閾値計算公式は、
【数３１】
0006843488.tif 000027
であり、
そのうち、Ｍは輝度閾値、ＡｖｅＹは未表示画面の幾何平均輝度、ｎはＯＬＥＤ表示パネル中の画素の総数、Ｙｉはｉ番目の画素の輝度値である、
ＯＬＥＤ表示装置の輝度補償システム。
【請求項４】
請求項３に記載のＯＬＥＤ表示装置の輝度補償システムにおいて、前記予め設定された輝度向上公式は、
【数３２】
0006843488.tif 000028
であり、
前記予め設定された輝度低下公式は、
【数３３】
0006843488.tif 000029
であり、
そのうち、
【数３４】
0006843488.tif 000030
、
【数３５】
0006843488.tif 000031
、であり、Ｙ'ｉは輝度値調整後のｉ番目の画素の輝度値であり、ＶｍａｘはＯＬＥＤ表示パネル中の画素が取得可能な最大電圧値であり、Ｖｔｈｉｎｉは予め設定されたＯＬＥＤ表示パネル中の駆動薄膜トランジスタの閾値電圧の参考値であり、Ｖｔｈは老化パラメータ検出ユニットが検出した老化パラメータである、
ＯＬＥＤ表示装置の輝度補償システム。
【発明の詳細な説明】
【技術分野】
【０００１】
本発明は表示技術分野、特にＯＬＥＤ表示装置の輝度補償システム及び輝度補償方法に係わる。
【背景技術】
【０００２】
有機発光ダイオード表示装置（Ｏｒｇａｎｉｃ  Ｌｉｇｈｔ  Ｅｍｉｔｔｉｎｇ  Ｄｉｓｐｌａｙ，ＯＬＥＤ）は、自ら発光し、駆動電圧が低く、発光効率が高く、反応時間が短く、明瞭度やコントラストが高く、１８０°近い視覚を有し、使用温度範囲が広く、フレキシブルな表示や大面積フルカラー表示の実現が可能といった多くの利点を有しており、発展の潜在力を最も有している表示装置として業界に公認されている
有機発光ダイオード表示装置は電流駆動デバイスであり、電流が有機発光ダイオードを流れると、有機発光ダイオードが発光し、発光の輝度は有機発光ダイオード自体を流れる電流によって決まる。既存のほとんどの集積回路（Ｉｎｔｅｇｒａｔｅｄ  Ｃｉｒｃｕｉｔ，ＩＣ）は電圧信号のみを伝送するので、有機発光ダイオード表示装置の画素駆動回路では、電圧信号を電流信号に変換するタスクを遂行する必要がある。典型的な有機発光ダイオード表示装置の画素駆動回路は、通常、１つのスイッチング薄膜トランジスタと、１つの駆動薄膜トランジスタと、１つのメモリキャパシタからなる２Ｔ１Ｃ構造であり、走査信号によりスイッチング薄膜トランジスタを制御して開かせると、データ信号がスイッチング薄膜トランジスタを経由して駆動薄膜トランジスタのゲート電極に書き込まれ、駆動薄膜トランジスタを制御して開かせ、有機発光ダイオードが発光するが、使用時間の増加に伴って、駆動薄膜トランジスタや有機発光ダイオードにいずれも老化が生じ、駆動薄膜トランジスタの閾値電圧にドリフトが発生し、有機発光ダイオードの輝度が徐々に減衰し、有機発光ダイオード表示装置の輝度が徐々に下がる。
【０００３】
そのため、表示の質を補償するために、ＯＬＥＤ表示装置には通常、輝度補償システムが設けられており、図１に示すように、既存のＯＬＥＤ表示装置の輝度補償システムは、画像予備処理ユニット１００と、前記画像予備処理ユニット１００と電気接続された老化補償ユニット２００と、前記老化補償ユニット２００と電気接続された老化パラメータ検出ユニット３００と、前記老化補償ユニット２００及び老化パラメータ検出ユニット３００のいずれとも電気接続されたＯＬＥＤ表示パネル４００とを含み、その動作プロセスは次の通りである。老化パラメータ検出ユニット３００によってＯＬＥＤ表示パネル４００の老化パラメータ（即ち駆動薄膜トランジスタのその時点の閾値電圧）を検出し、かつ老化補償ユニット２００により、ＯＬＥＤ表示パネル４００の老化パラメータに基づいて、表示が必要な画像の画素電圧を高めることにより、ＯＬＥＤ表示パネル４００の輝度を補償する。しかし、時間の累積に伴って老化パラメータは徐々に大きくなるが、ハードウェアシステムが提供できる画素電圧には限りがあり、無限に増大することはできず、画素電圧が上限に達しても、老化パラメータが増大し続けると、ＯＬＥＤ表示パネル４００の輝度が徐々に小さくなり、ユーザ体験が悪くなって、製品の競争力に影響する。
【発明の概要】
【発明が解決しようとする課題】
【０００４】
本発明の目的は、ＯＬＥＤ表示装置の明暗度がＯＬＥＤ表示装置の老化により低下することを防止し、ＯＬＥＤ表示装置の表示の質を保証して、ユーザ体験及び製品競争力を向上させることができるＯＬＥＤ表示装置の輝度補償システムを提供することにある。
【０００５】
本発明の目的はさらに、ＯＬＥＤ表示装置の明暗度がＯＬＯＥＤ表示装置の老化により低下することを防止し、ＯＬＥＤ表示装置の表示の質を保証して、ユーザ体験及び製品競争力を向上させることができるＯＬＥＤ表示装置の輝度補償方法を提供することにある。  
【課題を解決するための手段】
【０００６】
上記の目的を実現するために、本発明では画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含むＯＬＥＤ表示装置の輝度補償システムを提供しており、
前記ＯＬＥＤ表示パネルには複数の画素が設けられており、
前記画像予備処理ユニットは、画像コントラスト制御ユニットに未表示画像の各画素の表示データを提供するために用いられ、
前記老化パラメータ検出ユニットは、前記ＯＬＥＤ表示パネルの老化パラメータを検出し、かつ画像コントラスト制御ユニット及び老化補償ユニットに提供するために用いられ、
前記画像コントラスト制御ユニットは、ＯＬＥＤ表示パネルの老化パラメータに基づいて、未表示画像の各画素の表示データをしかるべく調整して未表示画像のコントラストを向上させ、かつコントラストが向上した後の各画素の表示データを老化補償ユニットに提供するために用いられ、
前記老化補償ユニットは、前記ＯＬＥＤ表示パネルの老化パラメータに基づいてコントラスト向上後の各画素の表示データをしかるべく調整して老化補償を行い、かつ老化補償後の各画素の表示データをＯＬＥＤ表示パネルに提供して表示するために用いられる。
【０００７】
前記老化パラメータは、その時点の各画素中の画素駆動回路における駆動薄膜トランジスタの閾値電圧の平均値であり、前記各画素の表示データが各画素の輝度値である。
【０００８】
前記画像コントラスト制御ユニットが、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、前記老化パラメータ及び予め設定された輝度向上公式に基づいて該画素の輝度値を引き上げ、該画素の輝度値が該輝度閾値より小さいか、または等しい場合は、前記老化パラメータ及び予め設定された輝度低下公式に基づいて該画素の輝度値を引き下げる。
【０００９】
前記予め設定された輝度閾値計算公式は、
【数１】
0006843488.tif 000002
であり、
そのうち、Ｍは輝度閾値、ＡｖｅＹは未表示画面の幾何平均輝度、ｎはＯＬＥＤ表示パネル中の画素の総数、Ｙｉはｉ番目の画素の輝度値である。
【００１０】
前記予め設定された輝度向上公式は、
【数２】
0006843488.tif 000003
であり、
前記予め設定された輝度低下公式は、
【数３】
0006843488.tif 000004
であり、
そのうち、
【数４】
0006843488.tif 000005
、
【数５】
0006843488.tif 000006
であり、Ｙ'ｉはコントラスト向上後のｉ番目の画素の輝度値であり、ＶｍａｘはＯＬＥＤ表示パネル中の画素が取得可能な最大電圧値であり、Ｖｔｈｉｎｉは予め設定されたＯＬＥＤ表示パネル中の駆動薄膜トランジスタの閾値電圧の参考値であり、Ｖｔｈは老化パラメータ検出ユニットが検出した老化パラメータである。
【００１１】
本発明はさらに、以下の工程を含むＯＬＥＤ表示装置の輝度補償方法を提供している。
【００１２】
画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含むＯＬＥＤ表示装置の輝度保証システムを提供する工程１；
前記画像予備処理ユニットが、画像コントラスト制御ユニットに未表示画像の各画素の表示データを提供する工程２；
前記老化パラメータ検出ユニットがＯＬＥＤ表示パネルの老化パラメータを検出し、かつ画像コントラスト制御ユニット及び老化補償ユニットに提供する工程３；
前記画像コントラスト制御ユニットが、ＯＬＥＤ表示パネルの老化パラメータに基づいて、未表示画像の各画素の表示データをしかるべく調整して未表示画像のコントラストを向上させ、かつコントラストが向上した後の各画素の表示データを老化補償ユニットに提供する工程４；
前記老化補償ユニットが、前記ＯＬＥＤ表示パネルの老化パラメータに基づいてコントラスト向上後の各画素の表示データをしかるべく調整して老化補償を行い、かつ老化補償後の各画素の表示データをＯＬＥＤ表示パネルに提供して表示する工程５。
【００１３】
前記工程３で検出したＯＬＥＤ表示パネルの老化パラメータは、その時点の各画素中の画素駆動回路における駆動薄膜トランジスタの閾値電圧の平均値であり、前記工程２で提供する各画素の表示データが各画素の輝度値である。
【００１４】
工程４において、画像コントラスト制御ユニットが、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、前記老化パラメータ及び予め設定された輝度向上公式に基づいて該画素の輝度値を引き上げ、該画素の輝度値が該輝度閾値より小さいか、または等しい場合は、前記老化パラメータ及び予め設定された輝度低下公式に基づいて該画素の輝度値を引き下げる。
【００１５】
前記予め設定された輝度閾値計算公式は、
【数６】
0006843488.tif 000007
であり、
そのうち、Ｍは輝度閾値、ＡｖｅＹは未表示画面の幾何平均輝度、ｎはＯＬＥＤ表示パネル中の画素の総数、Ｙｉはｉ番目の画素の輝度値である。
【００１６】
前記予め設定された輝度向上公式は、
【数７】
0006843488.tif 000008
であり、
前記予め設定された輝度低下公式は、
【数８】
0006843488.tif 000009
であり、
そのうち、
【数９】
0006843488.tif 000010
、
【数１０】
0006843488.tif 000011
であり、Ｙ'ｉはコントラスト向上後のｉ番目の画素の輝度値であり、ＶｍａｘはＯＬＥＤ表示パネル中の画素が取得可能な最大電圧値であり、Ｖｔｈｉｎｉは予め設定されたＯＬＥＤ表示パネル中の駆動薄膜トランジスタの閾値電圧の参考値であり、Ｖｔｈは老化パラメータ検出ユニットが検出した老化パラメータである。
【００１７】
本発明はさらに、画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含むＯＬＥＤ表示装置の輝度補償システムを提供しており、
前記ＯＬＥＤ表示パネルには複数の画素が設けられており、
前記画像予備処理ユニットは、画像コントラスト制御ユニットに未表示画像の各画素の表示データを提供するために用いられ、
前記老化パラメータ検出ユニットは、前記ＯＬＥＤ表示パネルの老化パラメータを検出し、かつ画像コントラスト制御ユニット及び老化補償ユニットに提供するために用いられ、
前記画像コントラスト制御ユニットは、ＯＬＥＤ表示パネルの老化パラメータに基づいて、未表示画像の各画素の表示データをしかるべく調整して未表示画像のコントラストを向上させ、かつコントラストが向上した後の各画素の表示データを老化補償ユニットに提供するために用いられ、
前記老化補償ユニットは、前記ＯＬＥＤ表示パネルの老化パラメータに基づいてコントラスト向上後の各画素の表示データをしかるべく調整して老化補償を行い、かつ老化補償後の各画素の表示データをＯＬＥＤ表示パネルに提供して表示するために用いられ、
そのうち、前記老化パラメータは、その時点の各画素中の画素駆動回路における駆動薄膜トランジスタの閾値電圧の平均値であり、前記各画素の表示データは各画素の輝度値であり、
そのうち、前記画像コントラスト制御ユニットが、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、前記老化パラメータ及び予め設定された輝度向上公式に基づいて該画素の輝度値を引き上げ、該画素の輝度値が該輝度閾値より小さいか、または等しい場合は、前記老化パラメータ及び予め設定された輝度低下公式に基づいて該画素の輝度値を引き下げる。  
【発明の効果】
【００１８】
本発明の有益な効果は次の通りである。本発明は、ＯＬＥＤ表示装置の輝度補償システムを提供しており、該システムは、画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含み、老化補償の前に、まず画像コントラスト制御ユニットにより、老化パラメータに基づいて未表示画像のコントラストを向上させ、その後、改めてコントラスト向上後の未表示画像の老化補償を行って表示することで、ＯＬＥＤ表示装置の明暗度がＯＬＥＤ表示装置の老化により低下することを防止し、ＯＬＥＤ表示装置の表示の質を保証し、ユーザ体験と製品競争力を向上させることができる。本発明はさらに、ＯＬＥＤ表示装置の輝度補償方法を提供しており、ＯＬＥＤ表示装置の明暗度がＯＬＥＤ表示装置の老化により低下することを防止し、ＯＬＥＤ表示装置の表示の質を保証し、ユーザ体験と製品競争力を向上させることができる。  
【図面の簡単な説明】
【００１９】
本発明の特徴及び技術内容をさらに理解するために、本発明に関する以下の詳細な説明及び図面を参照していただきたい。図面は参考及び説明のためのみに供されるもので、本発明に制限を加えるために用いるものではない。
【００２０】
図面において、
【図１】図１は、既存のＯＬＥＤ表示装置の輝度補償システムの構造図である。
【図２】図２は、本発明のＯＬＥＤ表示装置の輝度補償システムの構造図である。
【図３】図３は、本発明のＯＬＥＤ表示装置における輝度補償方法の工程３の波形図である。
【図４】図４は、本発明のＯＬＥＤ表示装置の輝度補償方法のフローチャートである。
【発明を実施するための形態】
【００２１】
本発明で採用している技術的解決手段及びその効果をさらに説明するために、以下では本発明の好適な実施例とその図面を結び付けて詳細な説明を行う。
【００２２】
図２を参照すると、本発明は、画像予備処理ユニット１０と、前記画像予備処理ユニット１０と電気接続された画像コントラスト制御ユニット５０と、前記画像コントラスト制御ユニット５０と電気接続された老化補償ユニット２０と、前記老化補償ユニット２０及び画像コントラスト制御ユニット５０のいずれとも電気接続された老化パラメータ検出ユニット３０と、前記老化補償ユニット２０及び老化パラメータ検出ユニット３０のいずれとも電気接続されたＯＬＥＤ表示パネル４０とを含むＯＬＥＤ表示装置の輝度補償システムを提供している。
【００２３】
そのうち、前記ＯＬＥＤ表示パネル４０には複数の画素が設けられており、一般的には、前記複数の画素はアレイ配置されている。
【００２４】
前記画像予備処理ユニット１０は、画像コントラスト制御ユニット５０に未表示画像の各画素の表示データを提供するために用いられる。
【００２５】
具体的に言うと、本発明の好適な実施例では、前記各画素の表示データが示しているのは各画素の輝度値である。
【００２６】
前記老化パラメータ検出ユニット３０は、前記ＯＬＥＤ表示パネル４０の老化パラメータを検出し、かつ画像コントラスト制御ユニット５０及び老化補償ユニット２０に提供するために用いられる。
【００２７】
具体的に言うと、上記の本発明の好適な実施例では、前記ＯＬＥＤ表示パネル４０の老化パラメータは、各画素の画素駆動回路における駆動薄膜トランジスタの閾値電圧の平均値を指している。
【００２８】
前記画像コントラスト制御ユニット５０は、ＯＬＥＤ表示パネル４０の老化パラメータに基づいて、未表示画像の各画素の表示データをしかるべく調整して未表示画像のコントラストを向上させ、かつコントラストが向上した後の各画素の表示データを老化補償ユニット２０に提供するために用いられる。
【００２９】
さらに、図３を参照すると、図３の点線は、コントラストの向上を行わない場合、老化補償ユニット２０に入力される各画素の輝度値が画像予備処理ユニット１０の出力する輝度値に等しいということを示しており、図３の実線は、コントラストの向上後、画像予備処理ユニット１０の出力する比較的高い画素の輝度値が老化補償ユニット２０に入力されるとより高くなり、画像予備処理ユニット１０の出力する比較的低い画素の輝度値が老化補償ユニット２０に入力されるとより低くなるということを示している。つまり、前記画像コントラスト制御ユニット５０が、もともと明るい画素をより明るくし、もともと暗い画素をより暗くするという方法によって、未表示画像のコントラストを上げているのである。
【００３０】
具体的には、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、該画素の老化パラメータ及び予め設定された輝度向上公式に基づいて該画素の輝度値を引き上げ、該画素の輝度値が該輝度閾値より小さいか、または等しい場合は、該画素及び予め設定された輝度低下公式に基づいて該画素の輝度値を引き下げる。
【００３１】
詳しく言うと、前記予め設定された輝度閾値計算公式は、
【数１１】
0006843488.tif 000012
であり、
そのうち、Ｍは輝度閾値、ＡｖｅＹは未表示画面の幾何平均輝度、ｎはＯＬＥＤ表示パネル４０中の画素の総数、Ｙｉはｉ番目の画素の輝度値である。
【００３２】
さらに詳しく言うと、前記予め設定された輝度向上公式は、
【数１２】
0006843488.tif 000013
であり、
前記予め設定された輝度低下公式は、
【数１３】
0006843488.tif 000014
であり、
そのうち、
【数１４】
0006843488.tif 000015
、
【数１５】
0006843488.tif 000016
であり、Ｙ'ｉはコントラスト向上後のｉ番目の画素の輝度値であり、ＶｍａｘはＯＬＥＤ表示パネル４０中の画素が取得可能な最大電圧値であり、Ｖｔｈｉｎｉは予め設定されたＯＬＥＤ表示パネル４０中の駆動薄膜トランジスタの閾値電圧の参考値であり、Ｖｔｈは老化パラメータ検出ユニット３０が検出した老化パラメータである。
【００３３】
好適には、前記予め設定されたＯＬＥＤ表示パネル４０中の駆動薄膜トランジスタの閾値電圧の参考値は、通常、ＯＬＥＤ表示パネル４０の出荷前における各画素中の駆動薄膜トランジスタの閾値電圧の平均値である。
【００３４】
前記老化補償ユニット２０は、前記ＯＬＥＤ表示パネル４０の老化パラメータに基づいてコントラスト向上後の各画素の表示データをしかるべく調整して老化補償を行い、かつ老化補償後の各画素の表示データをＯＬＥＤ表示パネル４０に提供して表示するために用いられる。
【００３５】
具体的には、前記老化補償の方法はいずれも既存の技術なので、ここでは繰り返し述べない。
【００３６】
説明しておかなければならないが、老化補償の前に未表示画像のコントラストを向上させているので、ＯＬＥＤ表示装置の明暗度がＯＬＥＤ表示装置の老化により低下することを防止し、それによりユーザが見ている時にＯＬＥＤ表示装置の老化によって画面が暗くなったと感じることがなく、ＯＬＥＤ表示装置の表示の質を保証して、ユーザ体験及び製品競争力を向上させることができるのである。
【００３７】
図４を参照すると、本発明はさらに、以下の工程を含むＯＬＥＤ表示装置の輝度補償方法を提供している。
【００３８】
工程１：図２のように、画像予備処理ユニット１０と、前記画像予備処理ユニット１０と電気接続された画像コントラスト制御ユニット５０と、前記画像コントラスト制御ユニット５０と電気接続された老化補償ユニット２０と、前記老化補償ユニット２０及び画像コントラスト制御ユニット５０のいずれとも電気接続された老化パラメータ検出ユニット３０と、前記老化補償ユニット２０及び老化パラメータ検出ユニット３０のいずれとも電気接続されたＯＬＥＤ表示パネル４０とを含むＯＬＥＤ表示装置の輝度補償システムを提供する。
【００３９】
工程２：前記画像予備処理ユニット１０が、画像コントラスト制御ユニット５０に未表示画像の各画素の表示データを提供する。
【００４０】
具体的には、前記工程２で提供する各画素の表示データが、各画素の輝度値である。
【００４１】
工程３：前記老化パラメータ検出ユニット３０がＯＬＥＤ表示パネル４０の老化パラメータを検出し、かつ画像コントラスト制御ユニット５０及び老化補償ユニット２０に提供する。
【００４２】
具体的には、前記工程３で検出したＯＬＥＤ表示パネル４０の老化パラメータは、各画素の画素駆動回路における駆動薄膜トランジスタの閾値電圧である。
【００４３】
工程４：前記画像コントラスト制御ユニット５０が、ＯＬＥＤ表示パネル４０の老化パラメータに基づいて、未表示画像の各画素の表示データをしかるべく調整して未表示画像のコントラストを向上させ、かつコントラストが向上した後の各画素の表示データを老化補償ユニット２０に提供する。
【００４４】
さらに、図３を参照すると、図３中の点線は、コントラスト向上を行わない場合、老化補償ユニット２０に入力された各画素の輝度値は画像予備処理ユニット１０の出力する輝度値に等しいことを示しており、図３の実線は、コントラストの向上後、画像予備処理ユニット１０の出力する比較的高い画素の輝度値は老化補償ユニット２０に入力されるとより高くなり、画像予備処理ユニット１０の出力する比較的低い画素の輝度値は老化補償ユニット２０に入力されるとより低くなることを示している。つまり、前記工程４では、前記画像コントラスト制御ユニット５０が、もともと明るい画素をより明るくし、もともと暗い画素をより暗くするという方法によって、未表示画像のコントラストを引き上げているのである。
【００４５】
具体的には、まず各画素の輝度値及び予め設定された輝度閾値計算公式に基づいて輝度閾値を計算して求め、続いて各画素の輝度値と該輝度閾値を比較し、該画素の輝度値が該輝度閾値より大きい場合は、該画素の老化パラメータ及び予め設定された輝度向上公式に基づいて該画素の輝度値を引き上げ、該画素の輝度値が該輝度閾値より小さいか、または等しい場合は、該画素及び予め設定された輝度低下公式に基づいて該画素の輝度値を引き下げる。
【００４６】
詳しく言うと、前記予め設定された輝度閾値計算公式は、
【数１６】
0006843488.tif 000017
であり、
そのうち、Ｍは輝度閾値、ＡｖｅＹは未表示画面の幾何平均輝度、ｎはＯＬＥＤ表示パネル４０中の画素の総数、Ｙｉはｉ番目の画素の輝度値である。
【００４７】
さらに詳しく言うと、前記予め設定された輝度向上公式は、
【数１７】
0006843488.tif 000018
であり、
前記予め設定された輝度低下公式は、
【数１８】
0006843488.tif 000019
であり、
そのうち、
【数１９】
0006843488.tif 000020
、
【数２０】
0006843488.tif 000021
であり、Ｙ'ｉはコントラスト向上後のｉ番目の画素の輝度値であり、ＶｍａｘはＯＬＥＤ表示パネル４０中の画素が取得可能な最大電圧値であり、Ｖｔｈｉｎｉは予め設定されたＯＬＥＤ表示パネル４０中の駆動薄膜トランジスタの閾値電圧の参考値であり、Ｖｔｈは老化パラメータ検出ユニット３０が検出した老化パラメータである。
【００４８】
好適には、前記予め設定されたＯＬＥＤ表示パネル４０中の駆動薄膜トランジスタの閾値電圧の参考値は、通常、ＯＬＥＤ表示パネル４０の出荷前における各画素中の駆動薄膜トランジスタの閾値電圧の平均値である。
【００４９】
工程５：前記老化補償ユニット２０が、前記ＯＬＥＤ表示パネル４０の老化パラメータに基づいてコントラスト向上後の各画素の表示データをしかるべく調整して老化補償を行い、かつ老化補償後の各画素の表示データをＯＬＥＤ表示パネル４０に提供して表示する。
【００５０】
具体的には、前記老化補償の方法はいずれも既存の技術なので、ここでは繰り返し述べない。
【００５１】
説明しておかなければならないが、老化補償の前に未表示画像のコントラストを向上させているので、ＯＬＥＤ表示装置の明暗度がＯＬＥＤ表示装置の老化により低下することを防止し、それによりユーザが見ている時にＯＬＥＤ表示装置の老化によって画面が暗くなったと感じることがなく、ＯＬＥＤ表示装置の表示の質を保証して、ユーザ体験及び製品競争力を向上させることができるのである。
【産業上の利用可能性】
【００５２】
以上のように、本発明ではＯＬＥＤ表示装置の輝度補償システムを提供しており、該システムは、画像予備処理ユニットと、前記画像予備処理ユニットと電気接続された画像コントラスト制御ユニットと、前記画像コントラスト制御ユニットと電気接続された老化補償ユニットと、前記老化補償ユニット及び画像コントラスト制御ユニットのいずれとも電気接続された老化パラメータ検出ユニットと、前記老化補償ユニット及び老化パラメータ検出ユニットのいずれとも電気接続されたＯＬＥＤ表示パネルとを含み、老化補償の前に、まず画像コントラスト制御ユニットにより、老化パラメータに基づいて未表示画像のコンロラストを向上させ、その後、改めてコントラスト向上後の未表示画像の老化補償を行って表示することで、ＯＬＥＤ表示装置の明暗度がＯＬＥＤ表示装置の老化により低下することを防止し、ＯＬＥＤ表示装置の表示の質を保証して、ユーザ体験及び製品競争力を向上させることができる。本発明はさらに、ＯＬＥＤ表示装置の明暗度がＯＬＥＤ表示装置の老化により低下することを防止し、ＯＬＥＤ表示装置の表示の質を保証して、ユーザ体験及び製品競争力を向上させることができるＯＬＥＤ表示装置の輝度補償方法を提供している。
【００５３】
上で述べたことは、当業者であれば、本発明の技術的解決手段や技術的構想に基づいて、他の各種の相応の変更や変形を行うことはできるが、それらの変更及び変形は、すべて本発明の特許請求の範囲の保護範囲に属するものとする。
【図１】
0006843488.tif 000032
【図２】
0006843488.tif 000033
【図３】
0006843488.tif 000034
【図４】
0006843488.tif 000035